(57)【要約】      （修正有）【課題】樹脂材製スロットルボディの内部空気通路に配置されたスロットルバルブが固定された樹脂材製スロットルシャフトを樹脂材製スロットルボディに回転支持するもので、軸受を樹脂材製スロットルボディに圧入固定するとクリープや熱応力によるスロットルボディの当該部破損による、軸受の緩みや抜け・回り（ガタ）が生じないようにする。【解決手段】樹脂材製スロットルボディの軸受孔部の内周に金属ホルダーを固定し、軸受をこのホルダーに圧入により固定する。具体的にはホルダーの一端に鍔があり、他端にはこのホルダーに軸受を圧入していくと、押し上げられスロットルボディ軸受孔部周辺に接触しスラスト方向の規制すると共に回り止めとなる爪を設けた。【選択図】図１
2008190369.tif 000002
【特許請求の範囲】
【請求項１】
気体の流量を制御するバタフライ弁が固定された回転軸が樹脂材で形成され、樹脂材製のボディに設けられた軸受孔部に前記回転軸が挿通され、当該回転軸の回転が支持される樹脂材製バタフライ弁装置において、
前記軸受孔部の内周部に固定された金属材製のホルダーと、
前記回転軸と前記ホルダーとの間に位置し、その外周が前記ホルダーの内周に固定される軸受と、
を備えた樹脂材製バタフライ弁装置。
【請求項２】
請求項１に記載したものにおいて、
前記金属材製のホルダーは、当該金属材製のホルダーの前記スロットル弁側の端部に、前記軸受の外周によって半径方向外側に拡開される少なくとも一つの弾性片を備え、
前記金属材製のホルダーは他端部に前記樹脂材製軸受部の段付き部と軸方向に係合する半径方向外側に延びる係合突起部を備え、
前記弾性片と係合突起部とによって前記ホルダーのスラスト方向の動きを規制している樹脂材製バタフライ弁装置。
【請求項３】
請求項２に記載したものにおいて、
前記弾性片の両側部に前記ホルダーの回転方向の動きを規制する壁部が前記樹脂材製のスロットルボディに形成されている樹脂材製バタフライ弁装置。
【請求項４】
請求項２に記載したものにおいて、前記係合突起部が環状の鍔部として前記金属材製のホルダーの他端部に形成されている樹脂材製バタフライ弁装置。
【請求項５】
請求項２に記載したものにおいて、
前記弾性片は前記ホルダーの内側に向かって折れ曲がった爪を有する樹脂材製バタフライ弁装置。
【請求項６】
請求項１に記載したものにおいて、
前記金属材製のホルダーは、前記軸受孔部の内周に前記スロットルボディの樹脂成形時にインサート樹脂成形されるものである樹脂材製バタフライ弁装置。
【請求項７】
請求項６に記載したものにおいて、
前記金属材製のホルダーはその外周に前記スロットルボディ形成用の樹脂材で満たされる窪みあるいはローレット若しくは前記スロットルボディ形成用の樹脂材の中に突出する突起を備えている樹脂材製バタフライ弁装置。
【請求項８】
請求項６に記載したものにおいて、
前記金属材製のホルダーはその端部に前記スロットルボディ形成用の樹脂材で満たされる切欠き部を備えている樹脂材製バタフライ弁装置。
【請求項９】
請求項１に記載したものにおいて、
前記金属材製のホルダーは、前記スロットル弁とは反対側の端部に半径方向外側に拡径された切欠き付きの鍔部を備え、
前記スロットルボディの前記軸受孔部の端面に前記鍔部の前記切欠きに合致する樹脂材製の突起が形成されており、
当該樹脂材製突起を熱加締めすることで前記金属材製ホルダーが前記軸受孔部に固定されるものである樹脂材製バタフライ弁装置。
【請求項１０】
請求項１乃至９のいずれかに記載したものにおいて、
前記軸受の外周面が前記ホルダーの内周面に圧入によって密着している樹脂材製バタフライ弁装置。
【請求項１１】
請求項１乃至１０のいずれかに記載したものにおいて、
前記軸受がメタル軸受である樹脂材製バタフライ弁装置。
【請求項１２】
請求項１乃至１０のいずれかに記載したものにおいて、
前記軸受がニードル軸受である樹脂材製バタフライ弁装置。
【請求項１３】
請求項１乃至１２のいずれかに記載された樹脂材製バタフライ弁装置によって構成されるものであって、
前記流量が制御される気体が空気であり、
前記バタフライ弁がスロットル弁として構成されている内燃機関の樹脂材製スロットル弁装置。
【発明の詳細な説明】
【技術分野】
【０００１】
本発明は気体の流量を制御するバタフライ式の弁装置に関し、特に樹脂材製の回転軸を樹脂材製の軸受孔部で回転支持する樹脂材製バタフライ弁装置に関する。このバタフライ弁装置は例えば、内燃機関の空気流量制御用のスロットル装置に適用され得る。
【背景技術】
【０００２】
この種樹脂材製バタフライ弁装置は、内燃機関の空気量制御用のスロットル装置として特開２００６−０１７００５号公報などに記載されている。
【０００３】
【特許文献１】特開２００６−０１７００５号公報
【発明の開示】
【発明が解決しようとする課題】
【０００４】
樹脂材製ボディの流体通路を流れる流体の量を制御するバタフライ弁は、樹脂材製の回転軸に固定され、樹脂材製ボディには樹脂材製の回転軸を回転支持する軸受孔部が形成されている。
【０００５】
両者の間には回転軸をスムースに回転させるために、転がり軸受（例えばニードルベアリング）や滑り軸受（例えばメタル軸受）等の軸受が固定されている。
【０００６】
しかしながら、ボディが樹脂で構成されている場合、軸受を直接軸受孔に圧入により固定すると軸受孔部にクリープや、熱応力によるスロットルボディの当該部の破損により軸受の抜けや回り（ガタ）が生じ、バタフライ弁を常に適切な位置に回転支持出来なくなるという問題がある。
【０００７】
本発明の目的は樹脂材製ボディの軸受孔部とこの軸受孔部に挿通される樹脂材製の回転軸の間に軸受を固定する場合に、軸受が抜けたり、回転方向にガタを生じたりしないようにするものである。
【課題を解決するための手段】
【０００８】
本発明は、上記目的を解決するために、樹脂材製ボディの軸受孔部と軸受の間に金属材製のホルダーを設ける。このホルダーは樹脂材製ボディの軸受孔部に対し、スラスト方向及び回転方向に対する移動が抑制され、軸受はこのホルダーに圧入により固定されるように構成した。
【発明の効果】
【０００９】
本発明によれば、樹脂材製ボディの軸受孔部とこの軸受孔部に挿通される樹脂材製の回転軸の間に軸受を固定する場合に、軸受が抜けたり、回転方向にガタを生じたりすることが少なくなる。
【発明を実施するための最良の形態】
【００１０】
以下、本発明が適用される一実施例として、内燃機関のスロットル装置を例に挙げて詳しく説明する。
【００１１】
樹脂成形により成形されたスロットルボディには、そのスロットルボディの内部空気通路に配置されたスロットルバルブと一体で回転するスロットルシャフトを回転支持する部位が存在する。両者の間には摺動性を良くする為に、転がり軸受や滑り軸受等の軸受が挿入される。これまでは、スロットルボディがアルミ等の金属であった為、それら軸受の外輪は、スロットルボディに圧入するか、挿入し別部材を軸受の上から圧入し軸受を固定してきた。
【００１２】
しかしながら、スロットルボディが樹脂で構成されると軸受を従来にように圧入により固定するとクリープや、熱応力によるスロットルボディの当該部の破損により軸受の抜け・回り（ガタ）が生じ、スロットルシャフトを常に適切な位置に回転支持出来なくなるという問題がある。
【００１３】
また、スロットルボディを樹脂化した時には、スロットルボディの軸受孔に金属カラーをインサートモールド成形し、その金属カラーに軸受を圧入するという方法も考案されているが、成形収縮時の金属カラーに対する応力に加え、雰囲気温度の変化による繰り返しの熱応力により軸受孔部のクリープや破損等による軸受の抜け・回り（ガタ）が生じ、スロットルシャフトを常に適切な位置に回転支持出来なくなるという問題がある。
【００１４】
本実施例では、上記課題を解決するために、スロットルボディ軸穴部と軸受の間にホルダーを設ける。このホルダーは金属で出来ておりスロットルボディ軸穴部に対し、スラスト方向及び回転方向に対し固定され、軸受はこのホルダーに圧入により固定される。このホルダーのスロットルボディ軸穴部に対する固定方法は、ホルダーの一端には、スロットルボディ軸穴に対し必要以上に挿入されない為の鍔があり、他端にはこのホルダーをスロットルボディ軸穴に挿入する時に妨げにならないように、ホルダーの円筒形状の中心方向に向けて爪がたてられる。そして、軸受をホルダーに圧入していくと、ホルダーの爪は押し上げられ、スロットルボディ軸穴部周辺に接触しスラスト方向の規制をする。また、ホルダーはスロットルボディ軸穴に対しラジアル方向に動かないように、そのホルダーの爪の変形部位に位置するスロットルボディの内部空気通路には凹形状を設け、その凹形状部に爪が挟まるような構成をとる。
【００１５】
また、樹脂に対し線膨張係数差の小さく熱応力が極力小さくなるような金属（例えば、アルミやステンレス等）を用い、ホルダーに抜け止め回り止めとなる凹部、凸部をホルダー側面または端面に設けたり、ローレットをホルダー側面に付けたりして、仮に熱等によりスロットルボディ軸穴部とホルダーの界面が剥離したとしても、ホルダーはスロットルボディに対し機械的にスラスト方向及び回転方向に動かないようにする構造をとり、ホルダーをスロットルボディにインサートモールドする。そして、その内側に軸受を圧入すると言ったような方法もある。
【００１６】
本実施例によれば、スロットルボディを樹脂にて形成した場合においても、軸受の緩みや抜け・回り（ガタ）等が発生することなく、スロットルシャフトを常に適切な位置にて回転支持することが出来る。
【実施例１】
【００１７】
図１は本発明の実施例における主要断面図である。スロットル装置は内燃機関の吸気通路の一部を形成するスロットルボディ内部空気通路１Ａを備え、そのスロットルボディ内部空気通路１Ａに回転可能に取り付けられたスロットルバルブ２Ａを備える。当該スロットルバルブ２Ａはスロットルシャフト２Ｂと樹脂一体形状にてバルブシャフト２を形成しておりスロットルシャフト２Ｂは、スロットルボディ内部空気通路１Ａの両端に形成されたスロットルボディ軸受孔１Ｂ内に金属製のホルダー３が配置され、更にこのホルダー３内に圧入固定された転がり軸受または滑り軸受等の軸受４にて回転自在に保持される。
【００１８】
また、このホルダー３は、図２に示すように、一端に鍔３Ａが設けられておりこれとスロットルボディ１の軸受孔端面１Ｆが接触し、スラスト方向の一方向について固定され、他端には爪３Ｂが２箇所付いており、これでもう一方向のスラスト方向についても固定される。このホルダー３の爪３Ｂは、軸受４が圧入される前は、図３に示すように、内径側に曲げられているが、軸受４が圧入されきると、図２に示すようにホルダー３の爪３Ｂは、軸受により押され外径側へと変形させられる。この変形させられた爪３Ｂがスロットルボディ内部空気通路１Ａの一部（後述する凹形状部１Ｃ）と接触し上述した、もう一方向のスラスト方向の固定となる。また、爪３Ｂ周辺のスロットルボディ内部空気通路１Ａには、スロットルバルブ２Ａが全開となる位置において凹形状部１Ｃを形成する。この凹形状部１Ｃに軸受４の圧入時に変形させられたホルダー３の爪３Ｂ部が嵌るようになっており、これがホルダー３の回り止めの役割を果たす。以上のようにしてホルダー３は、スロットルボディ軸受孔１Ｂに固定されることから、その内部に圧入された軸受４もまた、スロットルボディ軸受孔１Ｂに対し固定され、スロットルシャフト２Ｂをガタ無く安定的に回転自在に支持することが出来る。
【００１９】
回転自在に支持されたスロットルシャフト２Ｂの一端には、後述する非接触センサに影響を及ぼさないことや樹脂で出来たスロットルシャフト２Ｂと線膨張係数差が小さく熱応力に有利な非磁性体で出来ている例えば、樹脂で出来たスロットルギア５を樹脂で出来たナット６にてネジ固定される。この時、熱を含めた接合部強度面において不足と考えられる場合には、更にナット６とスロットルシャフト２Ｂを、ねじ固定以外に接着剤固定やレーザー溶着固定を更に行い、固定方法を２つ以上としても良い。図１に示すように、このスロットルギア５とスロットルボディ１の間には、スロットルバルブ２Ａがあらゆる開度から全閉開度よりいくらか開いたある一定の角度となるデフォルト開度位置（以下、デフォルト開度）に戻るようにスプリング７が配置される。図４に示すようにスプリングフック７Ａはスロットルボディボス１Ｄに掛けられ、もう一端のスプリングフック７Ｂはスロットルギアフック５Ａに掛けられ、スロットルバルブ２Ａを常に閉じる方向にトルクを発生させる。スプリングフック７Ｂの先には、デフォルト開度以下においてスロットルバルブ２Ａを開く方向にトルクを発生するデフォルトスプリング７Ｃを一体で備えておりデフォルトスプリング端部７Ｄとスロットルギアボス５Ｂは当接されスロットルギア５内においてデフォルト開度以上ではスプリング力は、スロットルギア５の内力として作用するようになっている。デフォルト開度においては、このスプリングフック７Ｂは、スロットルボディＤＥＦボス１Ｅにも当接し、更にデフォルト開度以下では、スロットルギアフック５Ａから離れ、スロットルボディＤＥＦボス１Ｅとスロットルギアボス５Ｂの間でスプリング荷重が働くようになり、スロットルギア５と一体で回るスロットルバルブ２Ａをデフォルト開度に押し戻す方向にトルクが発生する。
【００２０】
尚、図４は説明する上で理解しやすいように、スロットルボディ１の一部、バルブシャフト２，スロットルギア５，ナット６，スプリング７，ローターホルダー９及びローター８のみを表示した。
【００２１】
上述したように、スロットルシャフト２Ｂとスロットルギア５の結合にはナット６を用いるが、スロットルシャフト２Ｂとスロットルギア５との結合部とには、トルクがかかった時、スロットルシャフト２Ｂに発生する応力を分散するようスロットルシャフト２Ｂとスロットルギア５の両者に複数個の切欠きが付けられた形状とそれに嵌る形状で例えば図５に示すような形状にて結合される。スロットルシャフト２Ｂの切り欠き部となるスプライン形状２Ｃ部には、スロットルギア５を固定するナット６とネジで噛合うようにスプライン形状山部２Ｄにネジが切られる。また、スロットルギア５は、スロットルシャフト
２Ｂに対し垂直の姿勢を保つ為にスロットルギアガイド５Ｃを備え、スロットルシャフト２Ｂの周りに微小隙間を空け覆い被さるようにする。スロットルギアガイド５Ｃが長ければ長い程、微小隙間が同一でもスロットルシャフト２Ｂに対するスロットルギア５の傾きは小さく抑えることができる為、レイアウト上許す限りスロットルギアガイド５Ｃを長くする。
【００２２】
図６に示すように、ローター８をローターホルダー９に接着により固定し、ローターホルダーガイド９Ａの内径とスロットルシャフト２Ｂ先端にあるスプライン形状山部２Ｄの２箇所が削除された小円筒面部２Ｆにて位置決めされる。ローターホルダーガイド９Ａの外周と図５に示したナット６のストレート部６Ａとの間に僅かに設けられた隙間で接着剤にて固定する。更に図１に示したように、ローター８から平行に微小距離離れた位置に、非接触センサ基板１０がギアカバー１１に固定され更にその上にセンサカバー１２を接着し密閉する。特に図示はしないが、このギアカバー１１は、スロットルボディフランジ面１Ｇにネジ，リベットや溶着等により固定される。このローター８と非接触センサ基板
１０によりスロットルシャフト２Ｂと一体で回転するスロットルバルブ２Ａの開度を、電圧出力としてスロットル装置外へ発信する。また、本部位とは、反対側には、キャップ
１３がスロットルボディ１に溶着されており内部空気通路１Ａと外部を隔離する。
【００２３】
図７はギアカバー１１を省略したスロットル装置全体の断面図象である。スロットルギア５は、スロットルボディ１より突出した中間ギアシャフト１４を中心として回転する２段式の中間ギア１５の中間ギア大１５Ａと噛合い、中間ギア小１５Ｂとはスロットルボディ１に固定されたモータ１６の先端に固定されているモータギア１６Ａと噛合い、モータ１６のトルクをスロットルギア５と一体で回転するスロットルバルブ２Ａへ伝達し、スロットルバルブ２Ａを開閉させる。
【実施例２】
【００２４】
図８は、本発明の別の実施例である。〔実施例１〕では、ホルダー３に鍔や爪等を付け抜け止や回り止めとしたが、ホルダーを図９に示すように円筒形状としその外周部に、凹形状の抜け止及び回転止め形状１７Ａを付けた円筒ホルダー１７とし、スロットルボディ軸受孔１Ｂにインサートモールド成形により固定する。その円筒ホルダー１７の内部に軸受４を圧入により固定することで、スロットルボディ軸受孔１Ｂに対し軸受４は固定される。このような構成をとることで、軸受４の内径内にあるスロットルシャフト２Ｂをガタ無く安定的にスロットルボディ軸受孔１Ｂに対し回転自在に支持する。また、ここでは図示しないが、凹形状の抜け止め及び回り止め形状の変りに、凸形状やローレット形状の抜け止め及び回り止めを円筒ホルダー１７の外周部に設けてもよい。
【実施例３】
【００２５】
図１０は、本発明の別の実施例である。〔実施例１〕では、ホルダー３に鍔や爪等を付け抜け止や回り止めとしたが、図１１に示すようにホルダーの端部に、切り欠き１８Ａを設けた形状の切り欠き付き円筒ホルダー１８をスロットルボディ軸受孔１Ｂにその両端面をスロットルボディ１の樹脂が被い込むようにインサートモールド成形し固定する。その切り欠き付き円筒ホルダー１８内部に軸受４を圧入により固定することで、スロットルボディ軸受孔１Ｂに対し軸受４は固定される。このような構成をとることで、軸受４の内径内にあるスロットルシャフト２Ｂをガタ無く安定的にスロットルボディ軸受孔１Ｂに対し回転自在に支持する。
【実施例４】
【００２６】
図１２は、本発明の別の実施例である。〔実施例１〕では、ホルダー３に鍔や爪等を付け抜け止や回り止めとしたが、図１３に示すようにホルダーの一端に切り欠き付き鍔19Ａを備え、その切り欠き付き鍔１９Ａがスロットルボディ軸受孔１Ｂの軸受孔端面１Ｆに引っ掛かり切り欠き鍔付きホルダー１９の内部空気通路１Ａ方向のスラスト規制をする。その切り欠き付き鍔１９Ａは、その切り欠き形状に沿った形で樹脂ボディより突起部１Ｈが突出しており、その部位を熱加締めすることにより内部空気通路１Ａ方向とは逆方向のスラスト規制と回り止めの機能を果たし、スロットルボディ軸受孔１Ｂに固定される。その切り欠き鍔付きホルダー１９内部に軸受４を圧入により固定することで、スロットルボディ軸受孔１Ｂに対し軸受４は固定される。このような構成をとることで、軸受４の内径内にあるスロットルシャフト２Ｂをガタ無く安定的にスロットルボディ軸受孔１Ｂに対し回転自在に支持する。
【実施例５】
【００２７】
スロットルボディ軸受孔１Ｂとホルダー３のスラスト方向の規制は、〔実施例１〕で述べたようにホルダー３の鍔３Ａと軸受孔端面１Ｆの接触及び、爪３Ｂの変形によるスロットルボディ内部空気通路１Ａの接触により行い、スロットルボディ軸受孔１Ｂとホルダー３の回転方向の規制は、〔実施例４〕で述べたようにホルダー３の鍔３Ａの形状のみを切り欠き付き鍔１９Ａの形状とし、その切り欠き形状に沿った形状で樹脂ボディより突起部
１Ｈが突出しそれらの形状が嵌り合うことでなされる。この場合、突起部１Ｈにおける熱加締めは必要としないが、より信頼性を高める為に突起部１Ｈを熱加締めしてもよい。このようにスラスト規制は〔実施例１〕の方法で、回転方向の規制は〔実施例４〕の方法を組合わせホルダー３を固定し、その内部に圧入固定される軸受４の内径内にあるスロットルシャフト２Ｂをガタ無く安定的にスロットルボディ軸受孔１Ｂに対し回転自在に支持する。
【実施例６】
【００２８】
図１４に別の実施例を示す。この実施例では図１，図２に示す実施例のホルダー３をスロットルボディ軸受孔１Ｂに固定し、スロットルシャフト２Ｂとスロットルボディ軸受孔１Ｂの間に転がり軸受としてニードルベアリング４０を固定した実施例である。
【００２９】
具体的には、ニードルベアリング４０の外周のレース４４をホルダー３の内周に挿入し圧入する。レース４４の外周はホルダー３の爪３Ｂ（弾性片）を外側に拡開しながらスロットルシャフト２Ｂの段部２Ｇに接するまで圧入される。
【００３０】
これにより、ホルダー３は鍔部３Ａと弾性片としての爪３Ｂとの間に樹脂材製軸受孔部材の両端を挟みつけ、軸受孔部にしっかりと固定される。このとき、レース４４の圧入によってホルダー３が外側に押し拡げられることで、ホルダー３と樹脂材製軸受孔の内壁との間に形成されたわずかな隙間が減少あるいはなくなり、ホルダー３は軸受孔の内周面にぴったりと接触する。かくしてレース４４圧入時の外方への応力は緩和され、軸受孔部材のクリープが防止される。
【００３１】
スロットルシャフト２Ｂの外周はニードル４１によって支持され、レース４４とは非接触である。ニードル４１の両端にはシールゴム４２，４３が保持されており、レース４４の内周面と、スロットルシャフト２Ｂの外周面との間がシールされ、空気の流通が抑止される。
【００３２】
シールゴム４２，４３はニードル４１に対して軸方向に保持する保持力を与え、ニードル４１がレース４４から落ちないようにする機能もある。
【００３３】
本実施例の実施の態様を列挙すると以下の通りである。
【００３４】
（実施態様１）
内燃機関の吸入空気流量を制御する絞り弁を持つ樹脂製スロットル装置において、絞り弁の回転中心となる絞り弁と一体かもしくは、別体固定されたシャフトの両端を回転自在に支持する軸受と樹脂製スロットルボディの軸受孔との間に金属製ホルダーを有し、その金属製ホルダーは一端に鍔を備え、その鍔により樹脂スロットルボディ軸受孔部の端面に引っ掛かり金属製ホルダーの一方向のスラスト規制をするように構成し、もう一方向のスラスト規制は、金属製ホルダーの他端に複数の爪を内径側に設け、軸受を金属ホルダー内に入れた時、軸受に金属ホルダーの爪が押され金属ホルダーの外径側に爪が変形し、その変形によって樹脂製スロットルボディのボア壁面に引っ掛かることにより軸方向の固定がなされることを特徴とする内燃機関の樹脂製スロットル装置。
【００３５】
（実施態様２）
実施態様１において、金属製ホルダーの爪の両側には、樹脂製スロットルボディのボア壁面の一部が金属製ホルダーの爪の側面部とほぼ平行かそれに近い形状にて隣接し、金属製ホルダーの樹脂製スロットルボディ軸受孔に対する回転を防止することを特徴とする内燃機関の樹脂製スロットル装置。
【００３６】
（実施態様３）
実施態様２において、樹脂製スロットルボディのボア壁面の一部が金属製ホルダーの爪の側面部とほぼ平行かそれに近い形状となる部位は、樹脂製スロットルボディの円筒かそれに類するボア壁面に凹形状により形成されることを特徴とする内燃機関の樹脂製スロットル装置。
【００３７】
（実施態様４）
実施態様１において、金属製ホルダーの他端に設けられた爪の数を１つとし、その爪の範囲は、金属製ホルダー端の一部かもしくは全周に設置し、金属製ホルダーの樹脂製スロットルボディ軸受孔に対する軸方向の固定がなされることを特徴とする内燃機関の樹脂製スロットル装置。
【００３８】
（実施態様５）
実施態様１及び実施態様４において、金属ホルダーの一端に設けられた鍔には、切り欠きが１つ以上付いておりその切り欠き形状に沿った形で樹脂ボディより突起が突出する。その樹脂ボディの突起と金属ホルダーの切り欠き部が嵌り合うことにより、金属製ホルダーの樹脂製スロットルボディ軸受孔に対する回転を防止することを特徴とする内燃機関の樹脂製スロットル装置。
【００３９】
（実施態様６）
内燃機関の吸入空気流量を制御する絞り弁を持つ樹脂製スロットル装置において、絞り弁の回転中心となる絞り弁と一体かもしくは、別体固定されたシャフトの両端を回転自在に支持する軸受と樹脂製スロットルボディの軸受孔との間に金属製ホルダーを有し、その金属製ホルダーは円筒形状をしその外周部に、凹または凸形状の抜け止め及び回転止めを有し樹脂製スロットルボディ軸受孔にインサートモールド成形により固定され、その内部に軸受を固定することを特徴とする樹脂製スロットル装置。
【００４０】
（実施態様７）
内燃機関の吸入空気流量を制御する絞り弁を持つ樹脂製スロットル装置において、絞り弁の回転中心となる絞り弁と一体かもしくは、別体固定されたシャフトの両端を回転自在に支持する軸受と樹脂製スロットルボディの軸受孔との間に金属製ホルダーを有し、その金属製ホルダーは円筒形状とし少なくともその一端面に回り止めとなる切り欠きを有し、両端面は樹脂製スロットルボディに被われる形状となるようにインサートモールドされ回り止めとスラスト規制される。その金属ホルダー内部に軸受を固定することを特徴とする樹脂製スロットル装置。
【００４１】
（実施態様８）
内燃機関の吸入空気流量を制御する絞り弁を持つ樹脂製スロットル装置において、絞り弁の回転中心となる絞り弁と一体かもしくは、別体固定されたシャフトの両端を回転自在に支持する軸受と樹脂製スロットルボディの軸受孔との間に金属製ホルダーを有し、その金属製ホルダーは一端に鍔を備え、その鍔により樹脂スロットルボディ軸受孔部の端面に引っ掛かり金属製ホルダーの一方向のスラスト規制をする。その鍔には、切り欠きが１つ以上付いておりその切り欠き形状に沿った形で樹脂ボディより突起が突出する。その部位を熱加締めすることによりもう一方のスラスト規制と金属製ホルダーの樹脂製スロットルボディ軸受孔に対する回転を防止することを特徴とする内燃機関の樹脂製スロットル装置。
【００４２】
（実施態様９）
実施態様１〜８の構成の軸受部構成を、樹脂製スロットル装置のスロットルシャフト支持の少なくとも１端に適用することを特徴とする内燃機関の樹脂製スロットル装置。
【産業上の利用可能性】
【００４３】
本発明は、内燃機関のモータ駆動による樹脂製電子制御スロットル装置に用いるものであるが、ボディを樹脂材料とした時は、それ以前に用いられてきたワイヤーでスロットルバルブを開閉させるいわゆるメカ式のスロットル装置に用いることもできる。また、ガソリンエンジンだけでなく、ディーゼルエンジンのスロットル装置のように空気圧によりスロットルバルブを閉じ方向に動かすスロットル装置にも用いることができる。
【００４４】
さらに、軸受を保持するハウジングが樹脂材料であれば、空気を代表とする気体の流量を制御する種々のバルブに用いることができる。
【図面の簡単な説明】
【００４５】
【図１】本発明の実施例における断面図。
【図２】本発明の実施例におけるホルダー近傍の詳細断面図。
【図３】本発明の実施例における軸受圧入前のホルダー形状。
【図４】本発明の実施例におけるデフォルト開度保持機構説明図。
【図５】本発明の実施例における軸結合部説明図。
【図６】本発明の実施例におけるローター結合部説明図。
【図７】本発明の実施例におけるトルク伝達構成説明図。
【図８】本発明の別の実施例における軸受部周辺断面図。
【図９】本発明の別の実施例における円筒ホルダー形状説明図。
【図１０】本発明の別の実施例における軸受部周辺断面図。
【図１１】本発明の別の実施例における切り欠き付き円筒ホルダー形状説明図。
【図１２】本発明の別の実施例における軸受部周辺断面図。
【図１３】本発明の別の実施例における切り欠き鍔付き円筒ホルダー形状説明図。
【図１４】本発明の別の実施例におけるホルダー近傍の詳細断面図。
【符号の説明】
【００４６】
１  スロットルボディ
１Ａ  スロットルボディ内部空気通路
１Ｂ  スロットルボディ軸受孔
１Ｃ  凹形状部
１Ｄ  スロットルボディボス
１Ｅ  スロットルボディＤＥＦボス
１Ｆ  軸受孔端面
１Ｇ  スロットルボディフランジ面
１Ｈ  突起部
２  バルブシャフト
２Ａ  スロットルバルブ
２Ｂ  スロットルシャフト
２Ｃ  スプライン形状
２Ｄ  スプライン形状山部
２Ｆ  小円筒面部
３  ホルダー
３Ａ  鍔
３Ｂ  爪
４  軸受（メタル軸受もしくはすべり軸受）
５  スロットルギア
５Ａ  スロットルギアフック
５Ｂ  スロットルギアボス
５Ｃ  スロットルギアガイド
６  ナット
６Ｂ  ストレート部
７  スプリング
７Ａ，７Ｂ  スプリングフック
７Ｃ  デフォルトスプリング
７Ｄ  デフォルトスプリング端部
８  ローター
９  ローターホルダー
９Ａ  ローターホルダーガイド
１０  非接触センサ基板
１１  ギアカバー
１２  センサカバー
１３  キャップ
１４  中間ギアシャフト
１５  中間ギア
１５Ａ  中間ギア大
１５Ｂ  中間ギア小
１６  モータ
１６Ａ  モータギア
１７  円筒ホルダー
１７Ａ  凹形状の抜け止及び回転止め形状
１８  切り欠き付き円筒ホルダー
１８Ａ  切り欠き
１９  切り欠き鍔付きホルダー
１９Ａ  切り欠き付き鍔
４０  ニードルベアリング（転がり軸受）
４１  ニードル
４２，４３  シールゴム
４４  レース
【図１】
2008190369.tif 000003
【図２】
2008190369.tif 000004
【図３】
2008190369.tif 000005
【図４】
2008190369.tif 000006
【図５】
2008190369.tif 000007
【図６】
2008190369.tif 000008
【図７】
2008190369.tif 000009
【図８】
2008190369.tif 000010
【図９】
2008190369.tif 000011
【図１０】
2008190369.tif 000012
【図１１】
2008190369.tif 000013
【図１２】
2008190369.tif 000014
【図１３】
2008190369.tif 000015
【図１４】
2008190369.tif 000016